(57)【要約】【課題】ユーザからの適用する信号フォーマットの変更要求に即応可能なＯＶＰＮを提供する。【解決手段】ＯＶＰＮのユーザが、どのようなレイヤ１信号をＯＶＰＮに接続したいのかをＯＶＰＮ終端装置に通知可能とするための制御線を用い、ユーザからのデータ線を光スイッチを介して複数種類の信号変換器に接続する。このように、光スイッチを介することで、様々なレイヤ１信号をＯＶＰＮに収容可能となる。【選択図】　図１
2004072695.tif 000002
【特許請求の範囲】
【請求項１】
複数の拠点と、この複数の拠点間にＯＶＰＮ（Ｏｐｔｉｃａｌ　ＶｉｒｔｕａｌＰｒｉｖａｔｅ　Ｎｅｔｗｏｒｋ）を構成する光専用線を設定する手段を備えた光クロスコネクト装置と、この光クロスコネクト装置を制御する手段とを含むＯＶＰＮシステムに備えられ、前記拠点のユーザ装置を収容する手段を備えたＯＶＰＮ終端装置において、
前記ユーザ装置に適用された第一の信号フォーマットと前記ＯＶＰＮに適用された前記第一の信号フォーマットとは異なる第二の信号フォーマットとを相互に変換する手段を備え、
当該相互に変換する手段は、複数の異なる前記第一の信号フォーマットに対応して複数設けられた
ことを特徴とするＯＶＰＮ終端装置。
【請求項２】
前記相互に変換する手段は、前記ユーザ装置から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記ユーザ装置に転送する手段とを備えた
請求項１記載のＯＶＰＮ終端装置。
【請求項３】
一端に前記ユーザ装置を収容し、他端に前記光クロスコネクトが接続された光スイッチを備え、前記相互に変換する手段は、当該光スイッチの少なくとも一部の前記ユーザ装置と対向する側のポートに設けられた請求項１または２記載のＯＶＰＮ終端装置。
【請求項４】
一端に前記ユーザ装置を収容し、他端に前記光クロスコネクトが接続された光スイッチを備え、前記相互に変換する手段は、当該光スイッチの少なくとも一部の前記ユーザ装置と対向する側のポートに設けられその変換出力は当該光スイッチの少なくとも一部の前記ユーザ装置を収容する側のポートに回帰する請求項１または２記載のＯＶＰＮ終端装置。
【請求項５】
前記第一の信号フォーマットは、第一のオーバーヘッドおよび第一のペイロードを含む第一のフレームを構成し、前記第二の信号フォーマットは、当該第一のペイロードおよび第二のオーバーヘッドを含む第二のフレームを構成し、
前記相互に変換する手段は、前記ユーザ装置から送出される前記第一のペイロードを前記第二のフレームに搭載して前記ＯＶＰＮに転送する手段と、前記ＯＶＰＮから送出される前記第二のフレームに搭載された前記第一のペイロードを前記第一のフレームに搭載して前記ユーザ装置に転送する手段とを備え、
前記第一のペイロードを前記第二のフレームに搭載する際には、前記第一のオーバーヘッドの定義領域に含まれる少なくとも一部の情報を前記第二のオーバーヘッドの未定義領域に搭載して転送する手段を備え、
前記第二のフレームに搭載された前記第一のペイロードを前記第一のフレームに搭載する際には、前記第二のオーバーヘッドの未定義領域に搭載された前記第一のオーバーヘッドの定義領域に含まれる情報を前記第一のオーバーヘッドの定義領域に搭載する手段を備えた
請求項１記載のＯＶＰＮ終端装置。
【請求項６】
請求項１ないし５のいずれかに記載のＯＶＰＮ終端装置を備えたことを特徴とするＯＶＰＮシステム。
【発明の詳細な説明】
【０００１】
【発明の属する技術分野】
本発明は、ＶＰＮ（Ｖｉｒｔｕａｌ　Ｐｒｉｖａｔｅ　Ｎｅｔｗｏｒｋ）に関する。特に、マルチレイヤネットワークにおける様々なレイヤ１信号を収容可能であるレイヤ１ＶＰＮやＯＶＰＮ（Ｏｐｔｉｃａｌ　Ｖｉｒｔｕａｌ　Ｐｒｉｖａｔｅ　Ｎｅｔｗｏｒｋ）と呼ばれるＶＰＮに関する。
【０００２】
【従来の技術】
ＶＰＮは、公衆ネットワークを利用しながら、あたかもプライベートにネットワークを利用しているような環境をユーザに提供するサービスである。従来の技術では、図１２に示すように、ユーザが拠点間でＯＶＰＮを構成する場合に、拠点間に光専用線２３〜２５をネットワークプロバイダから借りて接続し、ＯＶＰＮを構成するのが一般的である。この場合に、光専用線２３〜２５は、光クロスコネクト装置（以下では、ＯＸＣと記す）１０〜１２によって設定される。また、ＯＸＣ１０〜１２は、ＯＶＰＮ制御端末１３〜１５から制御用専用線１〜６によって設定される。ＯＶＰＮ制御端末１３〜１５をユーザに提供する場合には、ネットワークプロバイダが保有するＯＸＣ１０〜１２の一部機能の制御をユーザが行えるようにしている。
【０００３】
このようなＯＶＰＮにおいて、マルチレイヤネットワークにおけるレイヤ１信号をトランスペアレントに伝達する機能を有する専用線を構成する技術として、ＳＤＨ／ＳＯＮＥＴや、ＯＴＮ（Ｏｐｔｉｃａｌ　Ｔｒａｎｓｐｏｒｔ　Ｎｅｔｗｏｒｋ）という技術がある。様々なレイヤ１信号（例えば、ＰＤＨ、Ｅｔｈｅｒｎｅｔ（登録商標）、Ｇｉｇａｂｉｔ　Ｅｔｈｅｒｎｅｔ、Ｆｉｂｅｒ　ｃｈａｎｎｅｌ、ＳＤＨ／ＳＯＮＥＴ、ＯＴＮ等）を、網の入口でＳＤＨ／ＳＯＮＥＴのパスペイロード、あるいはＯＴＮの光チャネル（Ｏｃｈ）ペイロードに収容する信号変換器と、網の出口でペイロードから収容したレイヤ１信号を取り出して出力する信号変換器を介して伝達することで、レイヤ１のディジタル信号をトランスペアレントに伝達する機能を提供している。
【０００４】
現状の技術レベルでは、Ｇｉｇａｂｉｔ　ＥｔｈｅｒｎｅｔとＦｉｂｅｒ　ｃｈａｎｎｅｌといった、一部の例外を除くと、同一の信号変換器で複数のレイヤ１信号を取り扱うことができない。
【０００５】
したがって、ＯＶＰＮを上述の信号変換器を用いて構成した場合に、ＯＶＰＮを利用するユーザは、予め使用するレイヤ１信号をＯＶＰＮ提供者に届け出を行い、所望の信号変換器をＯＶＰＮの終端装置に配備してもらわなくてはならない。
【０００６】
【発明が解決しようとする課題】
このように、従来のＯＶＰＮでは、レイヤ１信号をトランスペアレントに伝達するという機能を提供することは可能であるが、収容するレイヤ１信号をＯＶＰＮユーザが変更したいという要求に対しては、信号変換器の取替えやファイバの接続変更といった作業が必要となり、ユーザからの変更要求に対して即応できないという問題がある。
【０００７】
本発明は、このような背景に行われたものであって、ユーザからの適用する信号フォーマットの変更要求に即応可能なＯＶＰＮ終端装置およびシステムを提供することを目的とする。
【０００８】
【課題を解決するための手段】
本発明では、ＯＶＰＮのユーザが、どのようなレイヤ１信号をＯＶＰＮに接続したいのかをＯＶＰＮ終端装置に通知可能とするための制御線を用いることを第一の特徴としている。制御線をＯＶＰＮユーザに提供することにより、ユーザがＯＶＰＮ終端装置を制御することが可能となる。
【０００９】
また、ユーザからのデータ線を光スイッチを介して複数種類の信号変換器に接続することが第二の特徴である。光スイッチを介することで、様々なレイヤ１信号をＯＶＰＮに収容可能となる。
【００１０】
さらに、ユーザからの制御線により入力された情報に基づいて光スイッチを制御する制御装置を用いることが第三の特徴である。これにより、ＯＶＰＮのエンド・エンドでのユーザ主導のレイヤ１信号の種別変更に即応することが可能となる。
【００１１】
すなわち、本発明の第一の観点は、複数の拠点と、この複数の拠点間にＯＶＰＮ（Ｏｐｔｉｃａｌ　Ｖｉｒｔｕａｌ　Ｐｒｉｖａｔｅ　Ｎｅｔｗｏｒｋ）を構成する光専用線を設定する手段を備えた光クロスコネクト装置と、この光クロスコネクト装置を制御する手段とを含むＯＶＰＮシステムに備えられ、前記拠点のユーザ装置を収容する手段を備えたＯＶＰＮ終端装置である。
【００１２】
ここで、本発明の特徴とするところは、前記ユーザ装置に適用された第一の信号フォーマットと前記ＯＶＰＮに適用された前記第一の信号フォーマットとは異なる第二の信号フォーマットとを相互に変換する手段を備え、当該相互に変換する手段は、複数の異なる前記第一の信号フォーマットに対応して複数設けられたところにある。
【００１３】
これにより、ＯＶＰＮを構成する拠点は、その適用する信号フォーマットによらず柔軟にＯＶＰＮを構成することができる。
【００１４】
あるいは、前記相互に変換する手段は、前記ユーザ装置から送出される前記第一の信号フォーマットを前記第二の信号フォーマットによりカプセリングして前記ＯＶＰＮに転送する手段と、前記ＯＶＰＮから送出される前記第二の信号フォーマットによりカプセリングされた信号を前記第一の信号フォーマットにデカプセリングして前記ユーザ装置に転送する手段とを備えることもできる。
【００１５】
例えば、一端に前記ユーザ装置を収容し、他端に前記光クロスコネクトが接続された光スイッチを備え、前記相互に変換する手段は、当該光スイッチの少なくとも一部の前記ユーザ装置と対向する側のポートに設けられた構成とすることができる。
【００１６】
本構成によれば、光スイッチの入出力ポートに前記相互に変換する手段を設けることができるため、既存の光スイッチの規模を拡大することなく、本構成を実現することができる。ただし、所望する信号フォーマットに対応する前記相互に変換する手段のポート位置が所望する方路と異なる場合には、後段のＯＸＣにおいて方路を修正する必要がある。
【００１７】
あるいは、一端に前記ユーザ装置を収容し、他端に前記光クロスコネクトが接続された光スイッチを備え、前記相互に変換する手段は、当該光スイッチの少なくとも一部の前記ユーザ装置と対向する側のポートに設けられその変換出力は当該光スイッチの少なくとも一部の前記ユーザ装置を収容する側のポートに回帰する構成とすることもできる。
【００１８】
本構成によれば、前記相互に変換する手段を設けるためにポートを占有するので、既存の光スイッチの規模を拡大する必要があるが、光スイッチの方路を任意に設定することができる。
【００１９】
あるいは、前記第一の信号フォーマットは、第一のオーバーヘッドおよび第一のペイロードを含む第一のフレームを構成し、前記第二の信号フォーマットは、当該第一のペイロードおよび第二のオーバーヘッドを含む第二のフレームを構成し、前記相互に変換する手段は、前記ユーザ装置から送出される前記第一のペイロードを前記第二のフレームに搭載して前記ＯＶＰＮに転送する手段と、前記ＯＶＰＮから送出される前記第二のフレームに搭載された前記第一のペイロードを前記第一のフレームに搭載して前記ユーザ装置に転送する手段とを備え、前記第一のペイロードを前記第二のフレームに搭載する際には、前記第一のオーバーヘッドの定義領域に含まれる少なくとも一部の情報を前記第二のオーバーヘッドの未定義領域に搭載して転送する手段を備え、前記第二のフレームに搭載された前記第一のペイロードを前記第一のフレームに搭載する際には、前記第二のオーバーヘッドの未定義領域に搭載された前記第一のオーバーヘッドの定義領域に含まれる情報を前記第一のオーバーヘッドの定義領域に搭載する手段を備えることもできる。
【００２０】
これにより、前記第一の信号フォーマットによるオーバーヘッド内の必要な情報がＯＶＰＮ内のネットワークを伝送される間に消滅したり誤ったりするといった事態を回避することができる。
【００２１】
本発明の第二の観点は、本発明のＯＶＰＮ終端装置を備えたことを特徴とするＯＶＰＮシステムである。
【００２２】
【発明の実施の形態】
（第一実施例）
第一実施例を図１ないし図３を参照して説明する。説明を簡単化するために、図１では、左上のユーザ装置２０−１、２１−１から左下のユーザ装置２０−２への信号が伝送される例を示しているが、通常の通信は、同時に反対方向へも信号が伝送される。また、図１に示すＯＶＰＮ終端装置３０および８０、ＳＤＨ網制御装置４０および６０、ＳＤＨクロスコネクト装置５０および７０はそれぞれ同一構成の装置であり、以下では、説明を簡単化するために、主としてＯＶＰＮ終端装置３０、ＳＤＨ網制御装置４０、ＳＤＨクロスコネクト装置５０について説明し、ＯＶＰＮ終端装置８０、ＳＤＨ網制御装置６０、ＳＤＨクロスコネクト装置７０の説明は省略する。以下では、ＳＤＨの例を用いるがＳＤＨはＳＯＮＥＴであっても同様に説明することができる。
【００２３】
ＳＤＨ網制御装置４０によりＳＤＨクロスコネクト装置５０の方路が設定され、拠点間にレイヤ１トランスペアレント専用線網としてのＳＤＨ網を介したＯＶＰＮが構成される。なお、ＳＤＨ網制御装置４０は、各拠点のユーザ装置２０−１、２１−１により制御することができる。
【００２４】
第一実施例では、ＯＶＰＮ終端装置３０は、ユーザ装置２０−１、２０−２、２１−１に適用された第一の信号フォーマットであるＧｉｇａｂｉｔ　ＥｔｈｅｒｎｅｔまたはＡＴＭとＯＶＰＮに適用された前記第一の信号フォーマットとは異なる第二の信号フォーマットであるＳＤＨとを相互に変換する信号変換器であるコンバータ３３、３４を備え、図２に示すように、当該コンバータ３３、３４は、複数の異なる前記第一の信号フォーマットに対応して複数設けられる。どのコンバータ３３または３４を用いるかは、光スイッチ３２を制御して決定する。
【００２５】
すなわち、一端にユーザ装置２０−１、２１−１を収容し、他端にＳＤＨクロスコネクト装置５０が接続された光スイッチ３２を備え、コンバータ３３、３４は、当該光スイッチ３２の少なくとも一部のユーザ装置２０−１、２１−１と対向する側のポートに設けられる。これにより、光スイッチ３２の方路切り替えにより、任意のコンバータ３３または３４を選択することができる。
【００２６】
図３に、第一実施例における光スイッチ配備例その２を示す。図１および図２の光スイッチ配備例では、光スイッチ３２を切替えて異なる信号変換器を選択した際に、ＳＤＨクロスコネクト装置５０の設定が必要となる場合があるが、図３のようにコンバータ３３、３４と光スイッチ３２とを接続することにより、ＳＤＨクロスコネクト装置５０の設定を不要とすることもできる。
【００２７】
次に第一実施例の動作を説明する。図１に示すように、ユーザ装置２０−１、２１−１からデータ線と制御線がＯＶＰＮ終端装置３０に接続される。制御線は、光スイッチ制御装置３１に接続されており、どのフォーマットのレイヤ１信号をＯＶＰＮに接続するのかが通知される。光スイッチ制御装置３１は、通知されたフォーマットをサポートするコンバータ３３あるいは３４の空きポートにデータ線が接続されるように光スイッチ３２を制御する。
【００２８】
本実施例では、コンバータ３３として、Ｇｉｇａｂｉｔ　ＥｔｈｅｒｎｅｔをＳＤＨに収容するものと、コンバータ３４として、ＡＴＭ信号をＳＤＨに収容するものの２種類が用意されている例を示している。本実施例では、ＳＤＨ信号と、収容されるレイヤ１信号の数が１：１である。
【００２９】
光スイッチ３２の接続状態は、実線の矢印で示してある。現在は、ＡＴＭ用のコンバータ３４が選択されており、ユーザ装置にはＡＴＭ機器が接続されている。ユーザが、ユーザ装置にＧｉｇａｂｉｔ　Ｅｔｈｅｒｎｅｔを接続する場合には、制御線から光スイッチ制御装置３１にコマンドを送出する。光スイッチ３２は、点線の矢印のように切り替えられる。この際に、送信側（図中上側の光スイッチ３２）と受信側（図中下側の光スイッチ８２）の両方を切り替える必要がある。
【００３０】
両方を切り替える方法としては、送信側の制御線を介して光スイッチ制御装置３１に送られた切替要求を受信側の光スイッチ制御装置８１に転送する方法や、受信側のユーザ装置からも切替要求を送る方法等が考えられるが、どのような方法を使用するかによって本発明の形態が変更されるわけではない。
【００３１】
ユーザからの切替要求にしたがって、レイヤ１トランスペアレント専用線が、ＡＴＭ用からＧｉｇａｂｉｔ　Ｅｔｈｅｒｎｅｔ用に変更される。
【００３２】
（第二実施例）
第二実施例を図４ないし図７を参照して説明する。第二実施例では、図４に示すように、ＯＶＰＮ終端装置３０は、ユーザ装置２０−１、２１−１から送出される第一の信号フォーマット＃１を第二の信号フォーマット＃２によりカプセリングしてＳＤＨ網に転送し、ＳＤＨ網から送出される第二の信号フォーマット＃２によりカプセリングされた信号を第一の信号フォーマット＃１にデカプセリングしてユーザ装置２０−２に転送するカプセリング部３５、３６を備える。なお、図１において、ＯＶＰＮ終端装置３０の符号３３、３４をそれぞれ符号３５、３６に置き換えた構成である。
【００３３】
すなわち、図４に示すように、一端にユーザ装置２０−１、２１−１を収容し、他端にＳＤＨクロスコネクト装置５０が接続された光スイッチ３２を備え、カプセリング部３５、３６は、当該光スイッチ３２の少なくとも一部のユーザ装置２０−１、２１−１と対向する側のポートに設けられる。これにより、光スイッチ３２の方路切り替えにより、任意のカプセリング部３５または３６を選択することができる。
【００３４】
あるいは、図５に示すように、一端にユーザ装置２０−１、２１−１を収容し、他端にＳＤＨクロスコネクト装置５０が接続された光スイッチ３２を備え、カプセリング部３５、３６は、当該光スイッチ３２の少なくとも一部のユーザ装置２０−１、２１−１と対向する側のポートに設けられその変換出力は当該光スイッチ９２の少なくとも一部の拠点２０−１を収容する側のポートに回帰する。
【００３５】
各カプセリング部３５、３６は、それぞれ異なる信号フォーマットのカプセリングまたはデカプセリングに対応できるようにしておき、所望する信号フォーマットに対応するカプセリング部３５、３６を光スイッチ３２の方路切り替えにより選択する。
【００３６】
次に、カプセリングおよびデカプセリングを用いたデータのトンネリング転送の具体例について説明する。図６の例では、カプセリング部３５、３６はＩＴＵ−ＴＧ．７０９で定義されたＯＴＮ多重化装置である。レイヤ１フレームとしては、イーサフレームあるいはＳＤＨフレームである。すなわち、図１の例では、ＯＶＰＮ内はＳＤＨ網に替えてＯＴＮ網であり、ＳＤＨ網制御装置４０、６０、ＳＤＨクロスコネクト装置５０、７０もそれぞれＯＴＮ網制御装置、ＯＴＮクロスコネクト装置に替わる。
【００３７】
ユーザ装置２０−１または２１−１からＯＶＰＮ終端装置３０に送出されたレイヤ１フレームは、カプセリング部３５、３６でＯＤＵ（Ｏｐｔｉｃａｌ　Ｄａｔａ　Ｕｎｉｔ）にマップされる。さらに、カプセリング部３５、３６は、このＯＤＵからＯＴＵ（Ｏｐｔｉｃａｌ　Ｃｈａｎｎｅｌ　Ｔｒａｎｓｐｏｒｔ　Ｕｎｉｔ）を生成してＯＴＮネットワーク内では共通のフォーマットで取り扱う。
【００３８】
また、ＯＶＰＮからＯＶＰＮ終端装置３０に送出されたＯＴＵは、カプセリング部３５、３６でＯＤＵが取り出され、さらに、ＯＤＵからレイヤ１フレームが取り出されてユーザ装置２０−１または２１−１に送出される。
【００３９】
図７の例では、カプセリング部３５、３６はＩＴＵ−ＴＧ．７０７で定義されたＳＤＨ多重化装置である。レイヤ１フレームとしては、イーサフレームあるいはＳＤＨフレームである。
【００４０】
ユーザ装置２０−１または２１−１からＯＶＰＮ終端装置３０に送出されたレイヤ１フレームは、カプセリング部３５、３６でＶＣ（Ｖｉｒｔｕａｌ　Ｃｏｎｔａｉｎｅｒ）にマップされる。さらに、カプセリング部３５、３６は、このＶＣからＳＴＭ（Ｓｙｎｃｈｒｏｎｏｕｓ　Ｔｒａｎｓｆｅｒ　Ｍｏｄｅ）フレームを生成してＳＤＨネットワーク内では共通のフォーマットで取り扱う。
【００４１】
また、ＯＶＰＮからＯＶＰＮ終端装置３０に送出されたＳＴＭフレームは、カプセリング部３５、３６でＶＣが取り出され、さらに、ＶＣからレイヤ１フレームが取り出されてユーザ装置２０−１または２１−１に送出される。
【００４２】
図６の例と図７の例とを比較すると、図７の例では、ユーザ装置２０−１または２１−１から送出されるレイヤ１フレームの転送レートと、ＯＶＰＮ内のＳＴＭフレームの転送レートとがほぼ等しいため、レイヤ１フレームのカプセリングに伴い、ＯＶＰＮ内の転送レートは低下する。これに対し、図６の例では、ユーザ装置２０−１または２１−１から送出されるレイヤ１フレームの転送レートよりもＯＶＰＮ内のＯＴＵの転送レートの方が速いため、レイヤ１フレームのカプセリングに伴う転送レートの低下はない。
【００４３】
（第三実施例）
第三実施例を図８ないし図１１を参照して説明する。図８は第三実施例を説明するためのフレーム構成を示す図である。第三実施例では、ユーザ装置２０−１または２１−１から送出されるレイヤ１フレームは、オーバーヘッドＯＨ＃１およびペイロード＃１を含むＯＶＰＮ外フレームを構成し、ＯＶＰＮ内は、当該ペイロード＃１およびオーバーヘッドＯＨ＃０を含むＯＶＰＮ内フレームを構成し、コンバータ３３、３４は、ユーザ装置２０−１または２１−１から送出されるＯＶＰＮ外フレームのペイロード＃１をＯＶＰＮ内フレームに搭載してＯＶＰＮに転送し、ＯＶＰＮから送出されるＯＶＰＮ内フレームに搭載されたペイロード＃１をＯＶＰＮ外フレームに搭載してユーザ装置２０−１または２１−１に転送する。
【００４４】
第三実施例では、ＯＶＰＮ外フレームのペイロード＃１をＯＶＰＮ内フレームに搭載する際には、オーバーヘッドＯＨ＃１の定義領域に含まれる少なくとも一部の情報をオーバーヘッドＯＨ＃０の未定義領域に搭載して転送し、ＯＶＰＮ内フレームに搭載されたペイロード＃１をＯＶＰＮ外フレームに搭載する際には、オーバーヘッドＯＨ＃０の未定義領域に搭載されたオーバーヘッドＯＨ＃１の定義領域に含まれる情報をオーバーヘッドＯＨ＃１の定義領域に搭載する。
【００４５】
図９（ａ）はユーザ側ＳＤＨ信号のオーバーヘッド（ＳＴＭ−１）であり、図９（ｂ）はネットワーク側ＳＤＨ信号のオーバーヘッド（ＳＴＭ−１）である。図９（ａ）における丸で囲まれたオーバーヘッドバイトは、伝送を希望するオーバーヘッドバイトである。丸で囲まれていないオーバーヘッドバイトＡ１、Ａ２は、そのとる値が明らかであり、あえて伝送する必要はない。また、丸で囲まれていないオーバーヘッドバイトＢ１、Ｂ２は、伝送途中で値が随時上書きされてしまい、さらに、受信側で再計算により生成できるので伝送する必要がない。
【００４６】
図９の例では、ユーザ側ＳＤＨ信号（図９（ａ））の丸で囲まれたＪ０、Ｅ１、Ｆ１、Ｄ１〜Ｄ３、Ｋ１、Ｋ２、Ｄ４〜Ｄ１２、Ｓ１、Ｍ１、Ｅ２の各オーバーヘッドバイトをネットワーク側ＳＤＨ信号（図９（ｂ））の未使用領域にマッピングして伝送する。ネットワーク内において、オーバーヘッドの付替えが必要な場合には、マッピングしたオーバーヘッドバイトも再度乗せ替えて伝送する。
【００４７】
図１０（ａ）はユーザ側ＳＤＨ信号のオーバーヘッド（ＳＴＭ−４）であり、図１０（ｂ）はネットワーク側ＳＤＨ信号のオーバーヘッド（ＳＴＭ−４）である。ＳＴＭ−４では、０面〜３面がバイトインタリーブ多重されて伝送されている。
【００４８】
図１０（ａ）における丸で囲まれたオーバーヘッドバイトは、伝送を希望するオーバーヘッドバイトである。丸で囲まれていないオーバーヘッドバイトＡ１、Ａ２は、そのとる値が明らかであり、あえて伝送する必要はない。また、丸で囲まれていないオーバーヘッドバイトＢ１、Ｂ２は、伝送途中で値が随時上書きされてしまい、さらに、受信側で再計算により生成できるので伝送する必要がない。図１０（ｂ）に示すように、ユーザ側オーバーヘッド０面〜２面を、ネットワーク側オーバーヘッドの１面〜３面にコピーする。
【００４９】
図１１の例では、図１１（ａ）はユーザ側ＳＤＨ信号のオーバーヘッド（ＳＴＭ−１）であり、図１１（ｄ）はネットワーク側ＳＤＨ信号のオーバーヘッド（ＳＴＭ−１）である。
【００５０】
図１１（ａ）における丸で囲まれたオーバーヘッドバイトは、伝送を希望するオーバーヘッドバイトである。丸で囲まれていないオーバーヘッドバイトＡ１、Ａ２は、そのとる値が明らかであり、あえて伝送する必要はない。また、丸で囲まれていないオーバーヘッドバイトＢ１、Ｂ２は、伝送途中で値が随時上書きされてしまい、さらに、受信側で再計算により生成できるので伝送する必要がない。
【００５１】
図１１の例では、図１１（ｂ）に示すユーザ側ＳＤＨ信号のオーバーヘッドの伝送を希望するオーバーヘッドバイト列に対して、図１１（ｃ）のように可逆圧縮符号化を行い、バイト数を低減させる処理を行った上で、ネットワーク側ＳＤＨ信号のオーバーヘッドの未使用領域にマッピングする。
【００５２】
これにより、ネットワーク側ＳＤＨ信号のオーバーヘッドの未使用領域を占有する範囲を低減させることができ、余った未使用領域を他の目的に使用することができる。また、ネットワーク側ＳＤＨ信号のオーバーヘッドの未使用領域がユーザ側ＳＤＨ信号のオーバーヘッドの伝送を希望するオーバーヘッドバイト列よりも小さい場合にも可逆圧縮符号化を用いることにより対応することができる。
【００５３】
【発明の効果】
以上説明したように、本発明によれば、ユーザからの適用する信号フォーマットの設定要求変更に即応可能なＯＶＰＮ終端装置およびシステムを実現することができる。
【図面の簡単な説明】
【図１】第一実施例のＯＶＰＮ構成例を示す図。
【図２】第一実施例のＯＶＰＮ終端装置（その１）を説明するための図。
【図３】第一実施例のＯＶＰＮ終端装置（その２）を説明するための図。
【図４】第二実施例のＯＶＰＮ終端装置（その１）を説明するための図。
【図５】第二実施例のＯＶＰＮ終端装置（その２）を説明するための図。
【図６】第二実施例のＯＶＰＮ終端装置におけるカプセリング（ＯＴＮネットワーク）の概念図。
【図７】第二実施例のＯＶＰＮ終端装置におけるカプセリング（ＳＤＨネットワーク）の概念図。
【図８】第三実施例の信号変換を説明するための概念図。
【図９】第三実施例のオーバーヘッド列伝送の例（その１）の概念図。
【図１０】第三実施例のオーバーヘッド列伝送の例（その２）の概念図。
【図１１】第三実施例のオーバーヘッド列伝送の例（その３）の概念図。
【図１２】従来のＯＶＰＮ構成例を示す図。
【符号の説明】
１、３、５、６、２３、２４、２５　専用線
７−１〜７−３　エラー検出部
８　信号判定部
１０、１１、１２　光クロスコネクト
２０−１、２０−２、２１−１、２１−２、２２−１、２２−２　ユーザ装置
１３、１４、１５　ＯＶＰＮ制御端末
３０、８０　ＯＶＰＮ終端装置
３１、８１　光スイッチ制御装置
３２、８２　光スイッチ
３３、３４、３３−１〜３、３４−１〜４、８３−１〜３、８４−１〜４　コンバータ
３５、３６　カプセリング部
３７、８７　信号検出部
４０、６０　ＳＤＨ網制御装置
５０、７０　ＳＤＨクロスコネクト装置
【図１】
2004072695.tif 000003
【図２】
2004072695.tif 000004
【図３】
2004072695.tif 000005
【図４】
2004072695.tif 000006
【図５】
2004072695.tif 000007
【図６】
2004072695.tif 000008
【図７】
2004072695.tif 000009
【図８】
2004072695.tif 000010
【図９】
2004072695.tif 000011
【図１０】
2004072695.tif 000012
【図１１】
2004072695.tif 000013
【図１２】
2004072695.tif 000014
【手続補正書】
【提出日】平成14年8月22日(2002.8.22)
【手続補正１】
【補正対象書類名】図面
【補正対象項目名】図１
【補正方法】変更
【補正の内容】
【図１】
2004072695.tif 000015
【手続補正２】
【補正対象書類名】図面
【補正対象項目名】図２
【補正方法】変更
【補正の内容】
【図２】
2004072695.tif 000016
【手続補正３】
【補正対象書類名】図面
【補正対象項目名】図３
【補正方法】変更
【補正の内容】
【図３】
2004072695.tif 000017
【手続補正４】
【補正対象書類名】図面
【補正対象項目名】図４
【補正方法】変更
【補正の内容】
【図４】
2004072695.tif 000018